(57)【要約】【課題】電線等を埋設する共同側溝として使用でき、一旦埋設した後においても電線等に対する作業環境の向上を図れる地中埋設用側溝材を提供する。【解決手段】底部の左右から上方に起立した左右の側壁部７ａ、７ｂを有し、前記底部と前記左右側壁部との間に共同配線用貫通空部８ａと排水流路用貫通空部８ｂとを少なくとも両空部が左右に並んで間を区画壁７ｃで仕切られた状態で形成され、前記底部と左右両側壁部と区画壁とが一体成型されている。【選択図】図１
2019203260.tif 000002
【特許請求の範囲】
【請求項１】
底部の左右から上方に起立した左右の側壁部を有し、前記底部と前記左右側壁部との間に共同配線用貫通空部と排水流路用貫通空部とを少なくとも両空部が左右に並んで間を区画壁で仕切られた状態で形成され、前記底部と左右両側壁部と区画壁とが一体成型されていることを特徴とする地中埋設用側溝本体。
【請求項２】
前記共同配線用貫通空部の上面が開口し、該開口を塞ぐ蓋材を支持する蓋支持部を有し、前記排水流路用貫通空部の上面に雨水流入口が開口していることを特徴とする請求項１に記載の地中埋設用側溝本体。
【請求項３】
前記蓋支持部のうち排水流路用貫通空部側の蓋支持部が他の蓋支持部よりも高い位置に形成され、共同配線用貫通空部の上面が傾斜して開口していることを特徴とする請求項２に記載の地中埋設用側溝本体。
【請求項４】
前記共同配線用貫通空部の上面が閉塞されて側面が開口していることを特徴とする請求項１に記載の地中埋設用側溝本体。
【請求項５】
底部の左右から上方に起立した左右の側壁部を有し、前記底部と前記左右側壁部との間に共同配線用貫通空部と排水流路用貫通空部とを少なくとも両空部が左右に並んで間を区画壁で仕切られた状態で形成され、前記底部と左右両側壁部と区画壁とが一体成型された側溝本体と、
該側溝本体の上開口部に被せられる複数の蓋材と、
を備えた地中埋設用側溝材であって、
前記側溝本体は、前記蓋材を支持する蓋支持部を有し、
前記蓋材は、一方の妻面に、当該蓋材の厚さの下半側が上半側よりも相対的に突出した第１噛合部が形成され、他方の妻面に、厚さの上半側が下半側よりも相対的に突出した第２噛合部が形成され、蓋材同士が隣り合って配置されると前記第１噛合部が第２噛合部の下側に入り込んで第２噛合部が第１噛合部の上方への移動を規制する噛み合い状態となる形状に成型され、
前記側溝本体の上開口部に複数被せられた蓋材が前記噛み合い状態により上方へ移動されることを規制することを特徴とする地中埋設用側溝材。
【請求項６】
前記側溝本体は、前記蓋材を支持する蓋支持部と、該蓋支持部により支持された蓋材の係止部に係止して蓋材が側溝本体の長手方向にずれることを防止する移動防止部とを有することを特徴とする請求項５に記載の地中埋設用側溝材。
【請求項７】
前記側溝本体の上開口部に被せられた蓋材の間に形成される開口スペース内に装脱可能な蓋ロック具を有し、
前記蓋ロック具は、側溝本体の上開口部に装着された装着状態では前記開口スペースを閉塞する上面部と、前記装着状態でロック状態となる係止具とを有し、
前記装着状態で前記係止ロック部をロック状態にすると蓋ロック具を取り外すことなく蓋材が上方へ移動されることを規制することを特徴とする請求項５または請求項６に記載の地中埋設用側溝材。
【請求項８】
前記蓋ロック具は、蓋材に係脱可能な係止ロック部を有し、
前記装着状態で前記係止ロック部を蓋材に係止すると蓋材の上方への移動が規制されることを特徴とする請求項５から請求項７のいずれかに記載の地中埋設用側溝材。
【請求項９】
前記蓋ロック具は、前記上面部の下方に蓋材の第１噛合部を収納可能な収納空部を有し、ロック状態で蓋材の第１噛合部が上面部により上方への移動が規制されることを特徴とする請求項５から請求項８のいずれかに記載の地中埋設用側溝材。
【請求項１０】
前記区画壁上に縁石を備えたことを特徴とする請求項１乃至９に記載の地中埋設用側溝本体又は地中埋設用側溝材。
【発明の詳細な説明】
【技術分野】
【０００１】
本発明は、道路に埋設して電力ケーブル、電話線、光ケーブル等を収納する共同側溝と排水側溝の機能を兼ね備えた地中埋設用側溝本体、および地中埋設用側溝材に関する。
【背景技術】
【０００２】
近年、街の景観を向上させるために電柱をなくす計画が立てられており、その実現を図るべく様々な提案がなされている。例えば、道路の排水を処理する側溝と電線等を収納する共同溝を上下に設けてスペースの節約を図る側溝ブロックが提案されている（例えば、特許文献１参照）。
【先行技術文献】
【特許文献】
【０００３】
【特許文献１】特開２０１１−０８４９９４号公報
【発明の概要】
【発明が解決しようとする課題】
【０００４】
前記した側溝ブロックは、左右の側壁部とその下端同士を繋ぐ底壁部とを一体に有するブロック本体と、断面略Ｕ字状の排水ブロックとから構成されており、側壁部と底壁部とに囲まれた空間の下半にケーブル類をまとめて収納可能とし、前記空間の上半に、排水ブロックを上から嵌合させ、排水ブロックの上面に蓋を被せる構成である。
この様に、従来の側溝ブロックは、ケーブル類を収納する空間と排水用流路とを上下に配置しているので、ケーブル類の作業を行う場合、特に埋設した後での作業が極めて困難であった。
【０００５】
本発明は、上記した事情に鑑みてなされたものであり、その目的は、簡単な構造で埋設した後であってもケーブル等の作業環境の向上を図ることができる地中埋設用側溝本体、および地中埋設用側溝材を提供しようとするものである。
【課題を解決するための手段】
【０００６】
本発明は、上記目的を達成するために提案されたものであり、請求項１に記載のものは、底部の左右から上方に起立した左右の側壁部を有し、前記底部と前記左右側壁部との間に共同配線用貫通空部と排水流路用貫通空部とを少なくとも両空部が左右に並んで間を区画壁で仕切られた状態で形成され、前記底部と左右両側壁部と区隔壁とが一体成型されていることを特徴とする地中埋設用側溝本体である。
【０００７】
請求項２に記載のものは、前記共同配線用貫通空部の上面が開口し、該開口を塞ぐ蓋材を支持する蓋支持部を有し、前記排水流路用空部の上面に雨水流入口が開口していることを特徴とする請求項１に記載の地中埋設用側溝本体である。
【０００８】
請求項３に記載のものは、前記蓋支持部のうち排水流路用貫通空部側の蓋支持部が他の蓋支持部よりも高い位置に形成され、共同配線用貫通空部の上面が傾斜して開口していることを特徴とする請求項２に記載の地中埋設用側溝本体である。
【０００９】
請求項４に記載のものは、前記共同配線用貫通空部の上面が閉塞されて側面が開口していることを特徴とする請求項１に記載の地中埋設用側溝本体である。
【００１０】
請求項５に記載のものは、底部の左右から上方に起立した左右の側壁部を有し、前記底部と前記左右側壁部との間に共同配線用貫通空部と排水流路用貫通空部とを少なくとも両空部が左右に並んで間を区画壁で仕切られた状態で形成され、前記底部と左右両側壁部と区隔壁とが一体成型された側溝本体と、
該側溝本体の上開口部に被せられる複数の蓋材と、
を備えた地中埋設用側溝材であって、
前記側溝本体は、前記蓋材を支持する蓋支持部を有し、
前記蓋材は、一方の妻面に、当該蓋材の厚さの下半側が上半側よりも相対的に突出した第１噛合部が形成され、他方の妻面に、厚さの上半側が下半側よりも相対的に突出した第２噛合部が形成され、蓋材同士が隣り合って配置されると前記第１噛合部が第２噛合部の下側に入り込んで第２噛合部が第１噛合部の上方への移動を規制する噛み合い状態となる形状に成型され、
前記側溝本体の上開口部に複数被せられた蓋材が前記噛み合い状態により上方へ移動されることを規制することを特徴とする地中埋設用側溝材である。
【００１１】
請求項６に記載のものは、前記側溝本体は、前記蓋材を支持する蓋支持部と、該蓋支持部により支持された蓋材の係止部に係止して蓋材が側溝本体の長手方向にずれることを防止する移動防止部とを有することを特徴とする請求項５に記載の地中埋設用側溝材である。
【００１２】
請求項７に記載のものは、前記側溝本体の上開口部に被せられた蓋材の間に形成される開口スペース内に装脱可能な蓋ロック具を有し、
前記蓋ロック具は、側溝本体の上開口部に装着された装着状態では前記開口スペースを閉塞する上面部と、前記装着状態でロック状態となる係止具とを有し、
前記装着状態で前記係止ロック部をロック状態にすると蓋ロック具を取り外すことなく蓋材が上方へ移動されることを規制することを特徴とする請求項５または請求項６に記載の地中埋設用側溝材である。
【００１３】
請求項８に記載のものは、前記蓋ロック具は、蓋材に係脱可能な係止ロック部を有し、
前記装着状態で前記係止ロック部を蓋材に係止すると蓋材の上方への移動が規制されることを特徴とする請求項５から請求項７のいずれかに記載の地中埋設用側溝材である。
【００１４】
請求項９に記載のものは、前記蓋ロック具は、前記上面部の下方に蓋材の第１噛合部を収納可能な収納空部を有し、ロック状態で蓋材の第１噛合部が上面部により上方への移動が規制されることを特徴とする請求項５から請求項８のいずれかに記載の地中埋設用側溝材である。
【００１５】
請求項１０に記載のものは、前記区画壁上に縁石を備えたことを特徴とする請求項１乃至９に記載の地中埋設用側溝本体又は地中埋設用側溝材である。
【発明の効果】
【００１６】
本発明によれば、以下のような優れた効果を奏する。
請求項１に記載の発明によれば、底部の左右から上方に起立した左右の側壁部を有し、前記底部と前記左右側壁部との間に共同配線用貫通空部と排水流路用貫通空部とを少なくとも両空部が左右に並んで間を区画壁で仕切られた状態で形成され、前記底部と左右両側壁部と区隔壁とが一体成型されているので、地中埋設した後であっても共同配線用貫通空部に対する作業であっても容易に為し得る。また、２つの貫通空部を有していても側溝本体の製造が容易である。
【００１７】
請求項２に記載の発明によれば、前記共同配線用貫通空部の上面が開口し、該開口を塞ぐ蓋材を支持する蓋支持部を有し、前記排水流路用貫通空部の上面に雨水流入口が開口しているので、蓋材を取り外して共同配線用貫通空部内の作業を容易に為し得る。
【００１８】
請求項３に記載の発明によれば、前記蓋支持部のうち排水流路用貫通空部側の蓋支持部が他の蓋支持部よりも高い位置に形成され、共同配線用貫通空部の上面が傾斜して開口しているので、同じ幅の場合に比較して共同配線用貫通空部の開口面積を大きくすることができ、これにより作業範囲の拡大により作業環境の一層の向上を期待することができる。
【００１９】
請求項４に記載の発明によれば、前記共同配線用貫通空部の上面が閉塞されて側面が開口しているので、共同配線用貫通空部へのアクセスが側溝本体の側面まで掘削しなければできないので、高いセキュリティを期待することができる。
【００２０】
請求項５に記載の発明によれば、底部の左右から上方に起立した左右の側壁部を有し、前記底部と前記左右側壁部との間に共同配線用貫通空部と排水流路用貫通空部とを少なくとも両空部が左右に並んで間を区画壁で仕切られた状態で形成され、前記底部６と左右両側壁部と区隔壁とが一体成型された側溝本体と、
該側溝本体の上開口部に被せられる複数の蓋材と、
を備えた地中埋設用側溝材であって、
前記側溝本体は、前記蓋材を支持する蓋支持部を有し、
前記蓋材は、一方の妻面に、当該蓋材の厚さの下半側が上半側よりも相対的に突出した第１噛合部が形成され、他方の妻面に、厚さの上半側が下半側よりも相対的に突出した第２噛合部が形成され、蓋材同士が隣り合って配置されると前記第１噛合部が第２噛合部の下側に入り込んで第２噛合部が第１噛合部の上方への移動を規制する噛み合い状態となる形状に成型され、
前記側溝本体の上開口部に複数被せられた蓋材が前記噛み合い状態により上方へ移動されることを規制するので、共同配線用貫通空部内に収納した配線等のセキュリティを高めることができる。
【００２１】
請求項６に記載の発明によれば、前記側溝本体は、前記蓋材を支持する蓋支持部と、該蓋支持部により支持された蓋材の係止部に係止して蓋材が側溝本体の長手方向にずれることを防止する移動防止部とを有するので、蓋材が不用意に取り外されることを防止する機能を高めることができ、一層高いセキュリティを記載することができる。
【００２２】
請求項７に記載の発明によれば、前記側溝本体の上開口部に被せられた蓋材の間に形成される開口スペース内に装脱可能な蓋ロック具を有し、
前記蓋ロック具は、側溝本体の上開口部に装着された装着状態では前記開口スペースを閉塞する上面部と、前記装着状態でロック状態となる係止具とを有し、
前記装着状態で前記係止ロック部をロック状態にすると蓋ロック具を取り外すことなく蓋材が上方へ移動されることを規制するので、尚一層高いセキュリティを期待することができる。
【００２３】
請求項８に記載の発明によれば、前記蓋ロック具は、蓋材に係脱可能な係止ロック部を有し、
前記装着状態で前記係止ロック部を蓋材に係止すると蓋材の上方への移動が規制されるので、蓋材と係止ロック部とが確実にロックされ、蓋材が不用意に取り外されることを未然に防止することができる。
【００２４】
請求項９に記載の発明によれば、前記蓋ロック具は、前記上面部の下方に蓋材の第１噛合部を収納可能な収納空部を有し、ロック状態で蓋材の第１噛合部のが上面部により上方への移動が規制されるので、セキュリティのさらなる向上を期待できる。
【００２５】
請求項１０に記載の発明によれば、前記区画壁上に縁石を備えたので、例えば車道と歩道とを縁石により明確に区画することができる。
【図面の簡単な説明】
【００２６】
【図１】地中埋設用側溝材の概略図であり、（ａ）は蓋材を被せた状態における地中埋設用側溝材の平面図、（ｂ）は側溝材の正面図である。
【図２】（ａ）は側溝材の左側面図、（ｂ）は蓋ロック部で切断した一部欠截断面図である。
【図３】側溝本体の共同配線用貫通空部内の一部を示す斜視図である。
【図４】（ａ）は蓋材の平面図、（ｂ）は蓋材の左側面図、（ｃ）は蓋材の正面図である。
【図５】蓋材の斜視図である。
【図６】蓋ロック具の作用を示す説明図であり、（ａ）はロック状態を示す平面図、（ｂ）は解錠状態を示す平面図、（ｃ）は解錠状態からロック状態に変換する途中を示す平面面図、（ｄ）はロック状態を示す平面図である。
【図７】蓋ロック具に隣り合う蓋材の第１噛合部を両側からロック部材の収納空部内に収納してロックした状態の説明図である。
【図８】蓋ロック具に隣り合う一方の蓋材の第１噛合部をロック部材の一方の収納空部内に収納し、他方の蓋材の第２噛合部を蓋ロック具に当接した状態の説明図である。
【図９】蓋ロック具に隣り合う蓋材の第２噛合部をロック部材に当接した状態の説明図である。
【図１０】配線用貫通空部の側面を開口した側溝本体の側面図である。
【図１１】蓋支持部の高さを異ならせた側溝材の側面図である。
【発明を実施するための形態】
【００２７】
以下、本発明を実施するための形態を図面に基づいて説明する。
地中埋設用側溝材１は、図１に示すように、側溝本体２と、該側溝本体２の上面開口に被せられる複数（例えば４枚）の蓋材３と、前記側溝本体２の上開口部に被せられた蓋材３の間に形成された開口スペース４内に装脱可能な蓋ロック具５と、から構成されている。
【００２８】
前記側溝本体２は、図２に示すように、底部６の左右から上方に起立した左右の側壁部７ａ、７ｂを有し、前記底部６と前記左右側壁部７ａ、７ｂとの間に、共同配線用貫通空部８ａと排水流路用貫通空部８ｂとが少なくとも両空部が左右に平行に並んで間を区画壁７ｃで仕切られた状態で形成され、前記底部６と左右両側壁部７ａ、７ｂと区画壁７ｃとが一体成型されており、前記共同配線用貫通空部８ａの上面が上開口部９ａとして当該貫通空部８ａの幅員とほど同じ幅で開口し、前記排水流路用貫通空部８ｂの上面が雨水流入口９ｂとして当該貫通空部８ｂの幅員よりも狭いスリット状に開口したコンクリート製の樋体である。そして、共同配線用貫通空部８ａの両側に起立する側壁部７ａと区画壁７ｃの内側上部には前記蓋材３を支持する蓋支持部として、共同配線用貫通空部８ａの幅員を上から下に向かって次第に狭める傾斜面１１を有する隆設条１２が長手方向に形成されており、該隆設条１２の途中には、該蓋支持部により支持された蓋材３の係止部１３に係止して蓋材３が側溝本体２の長手方向にずれることを防止する移動防止部として機能する窪部１４が形成されている。具体的は、図３に示すように、隆設条１２の前記傾斜面１１の部分を欠截して窪部１４が形成されており、この窪部１４は、後述する蓋材３の係止部１３が上方から丁度嵌合してずれない位置と大きさに形成されている。なお、図面に示す実施形態では区画壁７ｃの上端に、車道側と歩道側との境界となる縁石１５を備えている。
【００２９】
前記蓋材３は、図４および図５に示すように、略長方形のコンクリート製板材であり、長辺である側縁の下部には長手方向の両端から中央手前の途中まで面取りして下傾斜面２０を形成し、両下傾斜面２０の間、すなわち側縁の下部の中央部分には面取りしないことで下傾斜面２０に対して相対的に突出した形状となる係止部１３が形成されている。なお、下傾斜面２０は、側溝本体２の傾斜面１１に合わせて平面（図４）で構成してもよいし、曲面（図５）で構成してもよい。
また、蓋材３は、一方の妻面（長手方向に直交する面、端面）に、当該蓋材３の厚さの下半側が上半側よりも相対的に突出した第１噛合部２１が形成され、他方の妻面に、厚さの上半側が下半側よりも相対的に突出した第２噛合部２２が形成されている。したがって、この様な構成からなる蓋材３を側溝本体２の上開口部９ａに妻面同士を対向させて１列に順次被せると、図１（ａ）に示すように、側溝本体２の前記蓋支持部の傾斜面１１上に蓋材３の下傾斜面２０が載り、２つの下傾斜面２０の間に形成された長さＣの係止部１３が側溝本体２の窪部１４内に嵌合し、この嵌合により蓋材３が側溝本体２の長手方向にずれない状態となる。また、蓋材３同士を側溝本体２の長手方向に沿って隣り合わせて配置すると前記第１噛合部２１が第２噛合部２２の下側に入り込んで噛み合い、第２噛合部２２が第１噛合部２１の上方への移動を規制する噛み合い状態となる。なお、本実施態様においては、側溝本体２の長さＬに、蓋材３の長さをＡ、４枚の蓋材３を被せることにより側溝本体２の上開口部９ａに長さＢの開口スペース４が生じるように各寸法を設定してある。そして、この長さＢの開口スペース４を蓋ロック具５により閉塞するとともに、蓋材３および蓋ロック具５が不用意に持ち上げられることを防止している。なお、側溝本体２に形成した窪部１４の長さＣ´と蓋材３に形成した係止部１３の長さＣとはほぼ同じ長さ、正確には窪部１３の長さＣ´が僅かに長く設定され、自然に嵌合してずれない寸法に設定されている。したがって、傾斜した地域に本側溝材１を埋設しても、地震発生時や自動車の振動があっても蓋材３が傾斜によってずれる不都合を防止できる。
【００３０】
前記蓋ロック具５は、側溝本体２の上開口部９ａに装着された装着状態では前記開口スペース４を閉塞する上面部２５と、前記装着状態でロックする係止ロック部２６とから概略構成され、前記装着状態で前記係止ロック部２６をロックすると、上面部２５の周り、蓋材３同士の間、蓋材３と側溝本体２（側壁部７ａ、７ｂ７の上端）との間等に手や工具が入るような隙間を塞いで、これにより蓋ロック具５を取り外すことなく蓋材３が勝手に上方へ移動されること（即ち、開かれる）ことを規制するものである。具体的に説明すると、蓋ロック具５の上面部２５は、本実施形態においては、側溝本体２の上開口部９ａの開口スペース４大きさに合わせて（上開口部９ａの幅に合わせて長辺の長さ、短辺の長さが設定された）鉄板で作製され、上面には滑り止めと吸盤防止を兼ねた凹凸が形成され、上面の中央にはロック操作用の開口３０が開設されている。そして、この上面部２５の下に補強材として格子状に角鋼を組んだフレーム３１が固定され、このフレーム３１の両端部に装着時に上面部２５が側溝本体２の上端面と同じ高さになるように嵩上げ部３２が設けられ、中央部分にロック部３３が設けられている。
【００３１】
ロック部３３は、前記したフレーム３１のほぼ中央の平面部の下面にコ字状のブラケット３４を下向きに、且つ回動可能な状態で軸着し、該ブラケット３４の下端に係止具として短冊状の係止金具３５を固定し、ブラケット３４を軸着する軸の上端には特殊工具により回動操作可能な操作部３６を設けている。そして、本実施形態では六角ボルトの頭部をブラケット３４の下面に溶接固定して雄ネジ部を上向きに突出させて軸とし、ブラケット３４から上向きに突出した雄ネジ部の先端に外形が略三角形の袋ナットを固定して該袋ナットを操作部３６としている。
【００３２】
また、係止金具３５は、貫通空部の貫通方向における上面部２５の寸法より長くて幅が開口スペース４の前記貫通方向の寸法よりも狭い長尺材（板材）により作製されており、全長の中央部分をブラケット３４の下端に固定され、ブラケット３４の軸を中心に回動することにより先端が上面部２５から突出するロック状態と、先端が上面部２５の下に収まって上面部２５から突出しない解除状態とに変換できるように構成され、ロック状態では軸を挟んで対象となる位置に設けられた棒状のストッパ３７に当接してロック状態を維持でき、また、反対方向に回動して解除状態に変換するとストッパ３７の反対側に当接して解除状態を維持できるように構成されている。そして、本実施形態では、図７に示すように、蓋ロック具５に蓋材３の妻面と隣接させた状態で蓋材３の第１噛合部２１がフレーム３１の下の収納空部３８に収まり、この状態で当該蓋材３上半の凹んだ妻面が上面部２５に当接し、これにより隙間がなくなるまで隣接できるように前記フレーム３１、ブラケット３４、ストッパ３７などの寸法と配置が適宜設定されている。なお、図面には示していないが、係止金具３５が蓋材３の下面に摺動して円滑に係止状態となるように、係止金具３５の蓋材３側の側縁部分に傾斜ガイド面を形成してもよい。
【００３３】
次に、前記した構成からなる側溝材１の施工について説明する。
図面には示していないが、地中に開削された敷設用の溝の底部に基礎砕石、基礎コンクリートを打設して基礎を形成し、この基礎上に側溝本体２を溝の延在方向に沿って一列に並ぶ状態で複数埋設し、隣り合う側溝本体２同士を側面のジョイント（図示せず）等により順次接合し、その後に溝を埋め戻す。なお、本実施形態では区画壁７ｃの上端に位置する縁石１５が車道と歩道との境界に位置して、排水流路用貫通空部８ｂが車道側に、共同配線用貫通空部８ａが歩道側に位置するようにして側溝本体２を埋設する。
【００３４】
この様にして溝内に側溝本体２を埋設すると、各側溝本体２の共同配線用貫通空部８ａが一連になって上面が歩道側に開口した状態となり、また、排水流路用貫通空部８ｂも一連になってスリット状の雨水流入口９ｂが車道側に開口する。したがって、歩道側の開口から一連となった共同配線用貫通空部８ａの内部に電力線や電話線、通信ケーブル等を収納することができる。
【００３５】
そして、各種配線やケーブル等の収納等の作業が終了したならば、各側溝本体２の上開口部９ａに蓋材３を被せて塞ぐ。蓋材３を被せる際に、図１に示す実施形態では、側溝本体２の左端に蓋材３を被せる場合に、上半が突出した第２噛合部２２を左側に向けた状態で側溝本体２の上開口部９ａに被せ、この蓋材３の右側に次の蓋材３を、上半が突出した第２嵌合部２２を左側に向ける。この状態で側溝本体２の上開口部９ａに被せるとともに、左側の第２嵌合部２２を、先に被せた蓋部４の右側の第１噛合部２１の上に載せて第１嵌合部２１と第２嵌合部２２とを噛み合わせる。次に、反対側の右側に蓋材３を被せる場合に、上半が突出した第１噛合部２１を右側に向けた状態で側溝本体２の上開口部９ａに被せ、この蓋材３の左側に次の蓋材３を、上半が突出した第２嵌合部２２を右側に向け、この状態で側溝本体２の上開口部９ａに被せるとともに、右側の第２嵌合部２２を、先に被せた蓋材３の左側の第１嵌合部２１の上に載せて第１嵌合部２１と第２嵌合部２２とを噛み合わせる。この様にして左右の端から順に蓋材３を２枚ずつ被せると、上開口部９ａの中央に、蓋ロック具５が丁度嵌る大きさの開口スペース４が形成される。
【００３６】
この様にして側溝本体２の上開口部９ａに順次蓋材３を被せたならば、次に、蓋ロック具５を装着する。
蓋ロック具５を装着する場合には、係止金具３５が上面部２５の下に収納されて突出しない解除状態を維持させて側溝本体２の開口スペース４に向けて下降し、図２（ｂ）に示すように、上面部２５の端部に設けられた嵩上げ部３２を側溝本体２の蓋支持部の傾斜面１１上に載せるとともに、図７に示すように、フレーム３１の長手部分を蓋材３の第１噛合部２１上に載せて、これにより上面部２５が開口スペース４を側溝本体２の上端と同じ高さで殆ど隙間なく塞ぐことができる。そして、図６（ｃ）に示すように、操作部３６を特殊工具を使って回動すると、係止金具３５が回動してその先端部分が蓋材３の下面に移動してロック状態に変換し、十分に回動すると、図６（ｄ）に示すように、係止金具３５がストッパ３７に当接して停止する。このロック状態では蓋ロック具５の周囲に工具や指が挿入し得る隙間が存在しないし、さらには係止金具３５が蓋材３の下面に当たるので蓋ロック具５を持ち上げて取り外すこともできない。さらに蓋ロック具５に隣り合う蓋材３を持ち上げようとしても、蓋材３の下半の第１噛合部２１が蓋ロック具５のフレーム３１に当たって持ち上げることができない。さらにまた、その隣の蓋材３、すなわち、蓋ロック具５から離れて位置する蓋材３を持ち上げようとしても、当該蓋材３の蓋ロック具５側に位置する第１噛合部２１が隣の蓋材３の第２噛合部２２に抑えられているので持ち上げられない。したがって、蓋ロック具５を被せてロック状態に変換すると、このロック状態で蓋ロック具５や蓋材３を不当に持ち上げて外すことはできない。このため、高いセキュリティを期待することができる。なお、不正に蓋材３を持ち上げようとする場合に、例えば、Ｌ字状に曲げたピアノ線を蓋材３の長手方向の側縁と側溝本体２の側壁部７ａ、７ｂ７の上端との間の僅かな隙間から挿入しようとしても、側溝本体の隆設条１２の傾斜面１１や窪部１４の底が侵入を阻止することができる。また、蓋材３の妻面同士が向き合った僅かな隙間から挿入しようとしても蓋材３の第１噛合部２１が侵入を阻止することができる。
【００３７】
一方、後日、電話線等の工事を行う必要が生じた場合には、一旦ロックした蓋ロック具５を取り外す。この場合の操作としては、まず、特殊工具を使用して操作部３６をロック操作とは反対側に回動して蓋材３の下面に位置している係止金具３５を蓋材３の下面から後退させてロック状態から解錠状態に変換する。この様にして解錠状態に変換すると、蓋ロック具５を持ち上げて取り外すことができる。この様にして蓋ロック具５を取り外すと、側溝本体２の中央部分に開口が生じ、この開口に手や工具を挿入し、開口の隣の蓋材３をそのまま持ち上げ（上昇させて）取り外すことができる。この時、蓋材３の妻面から突出した第１噛合部２１の上昇を阻止するものがないので、支障なく上昇させて取り外すことができる。そして、その次に隣の蓋材３も、上昇の障害になるものがないので、同様に取り外すことができる。この取り外し操作を繰り返し行うと、一連の側溝本体２上からすべての蓋材３を取り外すことができ、共同配線用貫通空部８ａ内での作業を可能とすることができる。そして、作業が終了したならば、前記した操作を行うことにより蓋材３と蓋ロック具５を被せて各側溝本体２の上開口部９ａを塞ぐとともに、各蓋材３と蓋ロック具５の周りに隙間がない状態でロックすることができる。
【００３８】
前記した実施形態では、蓋ロック具５に蓋材３の下半が突出した妻面を向けて蓋材３を被せたが、本発明はこれに限定されるものではない。
例えば、図８に示す実施形態では、蓋ロック具５の一方の隣り合う蓋材３については、妻面の下半が突出した第１噛合部２１を蓋ロック具５に向け、他方の隣り合う蓋材３については、妻面の上半が突出した第２噛合部２２を蓋ロック具５に向けて各蓋材３を側溝本体２の上開口部９ａに同じ方向に向けて被せてある。この様にすると、各蓋材３の周りと蓋ロック金具５の周りに、手や工具が入り得る隙間が生じないので、蓋材３やロック金具を不用意に持ち上げられることを防止でき、セキュリティの向上に寄与する。また、この様な蓋材３の配置を採ると、接続した側溝本体２の一連の上開口部９ａ上に同じ向きで蓋材３を被せることができ、しかも、隣り合う側溝本体２の蓋材３同士においても第１噛合部２１と第２噛合部２２とを噛み合わせた状態で被せることができる。したがって、途中の蓋材３であっても前記噛合により単独で持ち上げられることを一層確実に防止することができる。
【００３９】
また、図９に示す他の実施形態では、蓋ロック具５の一方の隣り合う蓋材３については、妻面の上半が突出した第２噛合部２２を蓋ロック具５に向け、他方の隣り合う蓋材３についても、妻面の上半が突出した第２噛合部２２を蓋ロック具５に向けて各蓋材３を側溝本体２の上開口部９ａに被せてある。この様に配置しても、各蓋材３の周りと蓋ロック具５の周りに、手や工具が入り得る隙間が生じないので、蓋材３や蓋ロック具５を不用意に持ち上げられることを防止でき、セキュリティの向上に寄与する。
【００４０】
前記した実施形態では共同配線用貫通空部９ａと排水流路用貫通空部８ｂを左右横並びに配置して両貫通空部８ａ，８ｂが平面視で重なることがない配置としたが、本発明はこれに限定されるものではなく、両貫通空部８ａ，８ｂが左右方向（幅方向）に並んで配置されていればよく、一部が上下に重なって配置されてもよい。また、共同配線用貫通空部８ａと排水流路用貫通空部８ｂとの断面形状は適宜設定することができ、さらに、断面積の大きさは現場の需要に適合させて大きさを設定すればよい。
【００４１】
例えば、図１０に示す側溝本体２の第２の実施形態では、側溝本体２の一方の端面から見て、断面形状がほぼ円形であって上面にスリット状の雨水流入口９ｂが開口した排水流路用貫通空部８ｂを図中の右上に配置し、排水流路用貫通空部８ｂ側の側壁部７ｂの高さの途中から区画壁７ｃを横方向から上方に向けて（すなわち、前記排水流路用貫通空部８ｂを下から上に包む状態）で立設し、図中左側および右側の下まで（すなわち、前記排水流路用貫通部の下方にまで）拡大して共同配線用貫通空部８ａを拡大して形成し、断面形状がほぼ台形を呈する共同配線用貫通空部８ａの上部側面に横開口部９ｃを開設してある。なお、この横開口部９ｃを側溝本体２の側面の全長に亘って開設してあるので、複数の側溝本体２を接続しながら埋設すると、各側溝本体２の共同配線用貫通空部８ａと排水流路用貫通空部８ｂが一連に連通するだけでなく、各側溝本体２の横開口部９ｃが一連に横長に開口する。この様に、共同配線用貫通空部８ａを側溝本体２の側面に開口すると、埋設時には溝を少し幅広に掘削して、長尺な各種配線やケーブルを横開口部９ｃから共同配線用貫通空部８ａの内部に容易に入れることができる。そして、各種配線等の収納が終わって横開口部９ｃに蓋４２を被せて塞ぎ、その後で溝を埋め戻すと、工事終了後は共同配線用貫通空部８ａに工具等を入れることができないので、セキュリティを一層向上することができる。また、側溝本体２の上面に蓋材が露出することもないので滑らかな仕上面となり、歩行者の支障にならない。さらに、本実施形態では共同配線用貫通空部８ａと排水流路用貫通空部８ｂとの容積比を、両貫通空部を単に横並びに配置する場合に比べて大きく調整することができ、現場の実状に適合した側溝材１を提供することができ、しかもスペース効率も向上させることができ、工事の合理化を図ることができる。
【００４２】
図１１に示す側溝本体２の第３の実施形態では、共同配線用貫通空部８ａの下部（一部）が排水流路用貫通空部８ｂの下に入り込んで、平面視した場合に両貫通空部の一部が上下に重なる位置関係に配置されている点では第２の実施形態と共通するが、共同配線用貫通空部８ａの上面が開口し、この開口の排水流路用貫通空部８ｂ側に形成した蓋支持部４３ａが反対側に位置する側壁部７ａの上端の蓋支持部４３ｂよりも高い位置に形成されている。すなわち、前記蓋支持部のうち排水流路用貫通空部８ｂ側の蓋支持部４３ａが他の蓋支持部４３ｂよりも高い位置に形成されている。そして、区画壁７ｃ側に設けた蓋支持部４３ａは、前記した第１の実施形態における傾斜面１１と窪部１４が同様に形成されており、蓋材３´の貫通空部８ａの長さ方向への移動（ずれ）を防止している。また、反対側の側壁部７ａの上端に設けた蓋支持部４３ｂは、共同配線用貫通空部８ａ側が一段低い階段状に形成されている。
このため、共同配線用貫通空部８ａは上面が傾斜して開口していることになる。したがって、埋設した後に蓋材３´を開いて配線やケーブルのメンテナンス作業等を行う際に、開口部が水平に開口した場合に較べて、本実施形態のごとく傾斜して開口している方が作業動作範囲が大きくなって作業の容易化を期待できる。
【００４３】
そして、蓋材３´は、図１１に示すように、上開口部をほぼ水平に塞ぐ平面部４４ａと該平面部４４ａの一端に下向きに突設した脚部４４ｂとから概略構成されており、平面部４４ａは、前記した蓋材３と同様に、排水流路用貫通空部８ｂ側の側縁に、側溝本体２の高い位置に形成された蓋支持部４３ａに載る斜面と前記窪部に嵌合する係止部（図示せず）を有し、反対側の側縁に脚部４４ｂが垂設されている。この脚部４４ｂは、前記した側溝本体２の側壁部７ａの上端に形成された蓋支持部４３ｂに係合した噛み合い状態で載る形状、すなわち、共同配線用貫通空部８ａ側が一段下向きに突出した階段状の係止縁部が形成されている。したがって、この蓋材３´を側溝本体２の上開口部上に被せて脚部４４ｂの下端を側溝本体２の側壁部７ａの蓋支持部４３ｂ上に、階段状の凹凸を相互に係止した状態（噛み合わせ状態）で載せると共に、反対側の側縁を側溝本体２の区画壁７ｃの蓋支持部４３ａ上に載せて係止部を窪部に係合すると、この係合により蓋材３´の長手方向の移動が規制され、前記した凹凸階段状の噛み合わせにより蓋材３´の幅方向の移動が規制される。このため、地震や自動車や列車等の振動があっても蓋材がずれることを防止することができる。
【００４４】
ところで、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
例えば、排水流路用貫通空部８ｂの断面形状は、スリット状雨水流入口９ｂを有する円形水路に限らず、Ｕ字形など適宜選択することができる。また側溝本体２の側壁部７ａ、７ｂの外側面に薄肉部４５を設け、ケーブル等を分岐する場合に前記薄肉部４５を容易に破って分岐したケーブルを通すように構成しても良い。特に、図１０及び図１１に示すように、共同配線用貫通空部８ａを排水流路用貫通空部８ｂの下方まで張り出して形成すると、側溝材１の左右いずれにもケーブル等を分岐させることができるので、例えば街路灯や信号機などの設置に当たって便利である。また、図面には示していないが、共同配線用貫通空部８ａの底部に排水用の穴（図示せず）を適宜設けてもよい。
なお、図１１に示すように、側壁部７ｂの上部に、排水流路用貫通空部８ｂに連通する雨水流入口４７を開設し、透水性舗装に染み込んで非透水性舗装上を流れる雨水を前記雨水流入口４７から排水流路用貫通空部８ｂ内に導入してもよい。
【符号の説明】
【００４５】
１  側溝材
２  側溝本体
３  蓋材
４  開口スペース
５  蓋ロック具
６  底面部
７ａ、７ｂ  側壁部
７ｃ  区画壁
８ａ  共同配線用貫通空部
８ｂ  排水流路用貫通空部
９ａ  上開口部
９ｂ  雨水流入口
１１  傾斜面
１３  係止部
１４  窪部
２０  下傾斜面
２１  第１噛合部
２５  上面部
２６  係止ロック部
３０  開口
３１  フレーム
３３  ロック部
３４  ブラケット
３５  係止金具
３６  操作部
３７  ストッパ
３８  収納空部
４２  蓋
４３  蓋支持部
４４ａ  平面部
４４ｂ  脚部
４５  薄肉部
【図１】
2019203260.tif 000003
【図２】
2019203260.tif 000004
【図３】
2019203260.tif 000005
【図４】
2019203260.tif 000006
【図５】
2019203260.tif 000007
【図６】
2019203260.tif 000008
【図７】
2019203260.tif 000009
【図８】
2019203260.tif 000010
【図９】
2019203260.tif 000011
【図１０】
2019203260.tif 000012
【図１１】
2019203260.tif 000013